(57)【特許請求の範囲】
【請求項１】
扉の縦枠に設けられ閉扉で該縦枠から横方向に錠ボルトを突出するとともに、開扉で該錠ボルトを後退させて収納保持するプッシュプル錠であって、
開扉方向と同方向の押し引き操作力を扉面に垂直な軸回りの回転操作力として操作軸に入力する変換機構と、
錠ボルト突出状態で前記操作軸を回転規制するロック爪と、
解錠回転される解錠軸に従動し該ロック爪の回転規制を解除するリンク機構と、
前記操作軸の回転で前記縦枠の長手方向にスライドされ斜め穴に係合させた前記錠ボルトを後退方向に従動させるスライドカム板と、
前記錠ボルトが突出する方向に該スライドカム板を付勢する第１付勢手段と、
前記錠ボルトを後退位置に保持するラチェット爪と、
閉扉にて被施錠体から磁気反発力を受けて作動し該ラチェット爪による前記錠ボルトの保持を解除するリリーサと、
を具備したことを特徴とするプッシュプル錠。
【請求項２】
前記ロック爪が規制解除位置となるよう前記リンク機構の作動を保持する保持プレートを具備し、
前記操作軸の回転にてスライドされる前記スライドカム板により該保持プレートの保持が解除されることを特徴とする請求項１記載のプッシュプル錠。
【請求項３】
前記錠ボルトを後退操作した前記操作軸が前記ロック爪にて回転規制されるよう前記リンク機構を付勢する第２付勢手段を具備したことを特徴とする請求項１又は２記載のプッシュプル錠。
【請求項４】
前記錠ボルトが、スリットを挟んで前記扉の厚み方向に分割され、該スリットに前記スライドカム板がスライド自在に配置されることを特徴とする請求項１又は２又は３に記載のプッシュプル錠。
【請求項５】
少なくとも前記錠ボルト、前記リンク機構及び前記スライドカム板などの摺動部品と、少なくとも前記ロック爪及び前記ラチェット爪などの揺動部品が、錠ケースとの隙間に配設される樹脂製スペーサ部材に摺接して位置保持及び動作案内されることを特徴とする請求項１，２，３，４のいずれか１つに記載のプッシュプル錠。
【請求項６】
前記スライドカム板を挟み、前記操作軸、前記ロック爪及び前記リンク機構が一対配設され、これら部品が前記扉の表裏側でそれぞれに作動することを特徴とする請求項１記載のプッシュプル錠。
【請求項７】
前記スライドカム板の前記斜め穴の上端に垂直穴が延設され、該垂直穴が前記錠ボルトの後退を阻止することを特徴とする請求項１，２，３，４，５，６のいずれか１つに記載のプッシュプル錠。
【請求項８】
前記錠ボルトの突出動作に負荷を付与して突出速度を減速させるダンパ機構を装備したことを特徴とする請求項１，２，３，４，５，６，７のいずれか１つに記載のプッシュプル錠。
【発明の詳細な説明】
【技術分野】
【０００１】
本発明は、開扉方向と同方向の押し引き操作で閉扉解除がなされるプッシュプル錠に関し、特に、錠ボルト進退方向の必要スペースを小さくする改良技術に関する。
【背景技術】
【０００２】
住宅やオフィスビル等の玄関扉には、長尺の操作バーの端を、台座を介して扉面に可動自在に取り付ける所謂プッシュプル錠が採用されることがある。プッシュプル錠は、例えば外開き扉に取り付けられる場合、室内側の操作バーは押し方向に可動することで、また、屋外側に取り付けられる操作バーは引っ張り方向に可動することで、錠ボルトを錠ケース内へ後退させ、扉を開放可能とする。これにより、扉表裏において、開扉方向とバー操作方向を一致させ、扉の良好な操作性を実現する。
【０００３】
ところで、錠ボルトには、扉を施錠せずに、閉扉保持する掛け金（ラッチボルト）がある。ラッチボルトは、先端に傾斜面を有し、扉小口から突出する方向に付勢され、扉の閉動により、開口枠側に設けられたストライク板の縁部に傾斜面を衝接し、一旦扉内へ後退した後、ストライク板のトロヨケ内に突出することで、扉を閉めた状態に保持する。ラッチボルトは、錠ケースに設けられる進退機構により、操作部材（レバーハンドル、ノブ、操作バー等）の操作で後退され、トロヨケ内から脱することで閉扉保持を解除する。また、玄関扉等の場合、ラッチボルトの設けられた錠装置にはデッドボルトが併設されることになる。
【０００４】
近年、ガラス素材の強度向上によってガラス扉が多用されるようになってきている。この種のガラス扉に施錠装置を設ける場合、ガラスの外周に金属枠部を付設し、扉開閉端側の縦枠に錠装置を設けるのが一般的である。このようなガラス扉の縦枠に収容される錠装置に、上記ラッチボルトを設けた場合、両開き扉では、相手側ガラス扉の縦枠に設けられるストライク板に傾斜面を衝接させることとなる。また、片開きでは、開口枠に設けられたストライク板に傾斜面を衝接させることとなった。
【発明の開示】
【発明が解決しようとする課題】
【０００５】
しかしながら、特にガラス扉に設けられる錠装置の場合、衝接時の反力を発生させないため、傾斜面を衝接させないラッチボルト機構とすることが望ましい。また、プッシュプル錠の操作バーを縦枠に取り付けたガラス扉では、意匠性を低下させないため、錠装置を収容する縦枠をできるだけ幅の狭いスリムなものとすることが望ましい。省スペース化を達成するためには、掛け金としてのラッチボルトと、施錠用のデッドボルトを単一の錠ボルトのみを用いて機能させることがより好ましい。このような事情からガラス扉に設けられるプッシュプル錠は、相手部材との衝接による反力を利用せず、しかも、錠ケースのラッチボルト進退方向の奥行き長を最小限にする必要があった。
【０００６】
本発明は上記状況に鑑みてなされたもので、その目的は、扉の縦枠など狭い幅のスペースに取り付けできるプッシュプル錠を提供することにある。
【課題を解決するための手段】
【０００７】
次に、上記の課題を解決するための手段を、実施の形態に対応する図面を参照して説明する。
本発明の請求項１記載のプッシュプル錠は、扉１１の縦枠１７に設けられ閉扉で該縦枠１７から横方向に錠ボルト２５を突出するとともに、開扉で該錠ボルト２５を後退させて収納保持するプッシュプル錠１００であって、
開扉方向と同方向の押し引き操作力を扉面１１ａに垂直な軸回りの回転操作力として操作軸３１に入力する変換機構３３と、
錠ボルト突出状態で前記操作軸３１を回転規制するロック爪３５と、
解錠回転される解錠軸３７に従動し該ロック爪３５の回転規制を解除するリンク機構３９と、
前記操作軸３１の回転で前記縦枠１７の長手方向にスライドされ斜め穴４１に係合させた前記錠ボルト２５を後退方向に従動させるスライドカム板４３と、
前記錠ボルト２５が突出する方向に該スライドカム板４３を付勢する第１付勢手段４５と、
前記錠ボルト２５を後退位置に保持するラチェット爪４７と、
閉扉にて被施錠体から磁気反発力を受けて作動し該ラチェット爪４７による前記錠ボルト２５の保持を解除するリリーサ４９と、
を具備したことを特徴とする。
【０００８】
このプッシュプル錠では、縦枠１７から横方向に突出する錠ボルト２５を、操作軸３１の回転で縦枠１７に沿う縦方向に移動するスライドカム板４３にて従動させるので、縦枠内の縦長のスペースを有効利用した部品の配置が可能となり、その結果、横幅に必要なスペースを抑制できる。また、閉扉にてリリーサ４９を作動させ、ラチェット爪４７による保持を解除して錠ボルト２５を突出できる。
【０００９】
請求項２記載のプッシュプル錠は、前記ロック爪３５が規制解除位置となるよう前記リンク機構３９の作動を保持する保持プレート５１を具備し、
前記操作軸３１の回転にてスライドされる前記スライドカム板４３により該保持プレート５１の保持が解除されることを特徴とする。
【００１０】
このプッシュプル錠では、施錠時、解錠軸３７が一旦操作されれば、ロック爪３５が規制解除位置となるようリンク機構３９が保持プレート５１にて保持され、操作軸３１が操作可能状態に保持される。また、操作軸３１が操作されることでスライドカム板４３がスライドされれば、すなわち、開扉されれば、保持プレート５１の保持が解除され、操作軸３１が再びロック爪３５に規制されて回転規制される（すなわち、開扉時には錠ボルト２５が突出規制される）。
【００１１】
請求項３記載のプッシュプル錠は、前記錠ボルト２５を後退操作した前記操作軸３１が前記ロック爪３５にて回転規制されるよう前記リンク機構３９を付勢する第２付勢手段５３を具備したことを特徴とする。
【００１２】
このプッシュプル錠では、錠ボルト２５を後退操作した後、すなわち、開扉した後、第２付勢手段５３にてリンク機構３９を作動させ、ロック爪３５を操作軸３１に係止できる。
【００１３】
請求項４記載のプッシュプル錠は、前記錠ボルト２５が、スリット５５を挟んで前記扉１１の厚み方向に分割され、該スリット５５に前記スライドカム板４３がスライド自在に配置されることを特徴とする。
【００１４】
このプッシュプル錠では、錠ボルト２５とスライドカム板４３が重ねて配置され、従来、錠ボルト２５の後方に必要であった錠ボルト駆動部品群の配置スペースが不要となる。
【００１５】
請求項５記載のプッシュプル錠は、少なくとも前記錠ボルト２５、前記リンク機構３９及び前記スライドカム板４３などの摺動部品と、少なくとも前記ロック爪３５及び前記ラチェット爪４７などの揺動部品が、錠ケース１９との隙間に配設される樹脂製スペーサ部材５７に摺接して位置保持及び動作案内されることを特徴とする。
【００１６】
このプッシュプル錠では、摺動部品や揺動部品の摺動音、衝撃音が樹脂製スペーサ部材５７にて吸収される。また、金属と樹脂製スペーサ部材５７が摺接することで、金属同士の摺接による摩耗が低減する。
【００１７】
請求項６記載のプッシュプル錠は、前記スライドカム板４３を挟み、前記操作軸３１、前記ロック爪３５及び前記リンク機構３９が一対配設され、これら部品が前記扉１１の表裏側でそれぞれに作動することを特徴とする。
【００１８】
このプッシュプル錠では、扉表裏側で操作軸３１、すなわち、操作バーが独立操作可能となる。また、一方の操作軸３１の回転が他方の操作軸３１に伝わらなくなる。
【００１９】
請求項７記載のプッシュプル錠は、前記スライドカム板４３の前記斜め穴４１の上端に垂直穴５９が延設され、該垂直穴５９が前記錠ボルト２５の後退を阻止することを特徴とする。
【００２０】
このプッシュプル錠では、錠ボルト２５の突出動作に伴い、スライドカム板４３のスライドにより斜め穴４１の上端に錠ボルト２５の係合部（係合ピン１０３等）が達すると、突出した錠ボルト２５の後退が垂直穴５９に当たる係合部にて阻止される。
【００２１】
請求項８記載のプッシュプル錠は、前記錠ボルト２５の突出動作に負荷を付与して突出速度を減速させるダンパ機構６１を装備したことを特徴とする。
【００２２】
このプッシュプル錠では、錠ボルト突出時、すなわち、施錠時、ダンパ機構６１により突出動作に負荷が付与されて、錠ボルト２５がゆっくり突出される。
【発明の効果】
【００２３】
本発明に係る請求項１記載のプッシュプル錠によれば、縦枠から横方向に突出する錠ボルトを、縦枠の長手方向にスライドするスライドカム板にて作動させ、閉扉で被施錠体から磁気反発力を受けるリリーサにてラチェット爪による錠ボルトの後退保持を解除するので、扉の縦枠など狭い幅のスペースに取り付けることができるとともに、閉扉時と同時に錠ボルトを突出させる自動施錠を実現できる。
【００２４】
請求項２記載のプッシュプル錠によれば、リンク機構を保持する保持プレートを具備し、スライドカム板のスライドにより保持プレートの保持が解除されるので、施錠時、解錠軸が一旦操作されれば、操作軸が操作可能状態に保持される。操作軸が操作されることでスライドカム板がスライドされれば、保持プレートの保持が解除され、操作軸が再びロック爪に規制されて回転規制される。これにより、開扉時、突出した錠ボルトによる衝突を防止できる。
【００２５】
請求項３記載のプッシュプル錠によれば、リンク機構を付勢する第２付勢手段を具備したので、錠ボルトを後退操作した後リンク機構を作動させてロック爪を操作軸に係止し、操作軸の回転操作、すなわち、錠ボルトの突出操作を無効にできる。
【００２６】
請求項４記載のプッシュプル錠によれば、スリットにスライドカム板がスライド自在に配置されるので、錠ボルトとスライドカム板を重ね配置し、従来、錠ボルトの後方に必要であった錠ボルト駆動部品群の配置スペースを不要にし、小幅スペースでの錠機構の収容を可能にできる。
【００２７】
請求項５記載のプッシュプル錠によれば、摺動部品、揺動部品が、樹脂製スペーサ部材に摺接して位置保持及び動作案内されるので、摺動部品や揺動部品の摺動音、衝撃音を吸収して静粛性を高めることができる。また、金属同士の摩耗を低減させて耐久性を向上させることができる。
【００２８】
請求項６記載のプッシュプル錠によれば、スライドカム板を挟み、操作軸、ロック爪及びリンク機構が一対配設され、これら部品が扉の表裏側でそれぞれに作動するので、扉表裏側で操作軸を独立操作してスライドカム板等の兼用部品を作動させることができる。また、一方の操作軸の回転が他方の操作軸に伝わらず、非操作側操作バーの不要な動きを防止できる。
【００２９】
請求項７記載のプッシュプル錠によれば、スライドカム板の斜め穴の上端に垂直穴が延設されたので、突出動作に伴い、スライドカム板のスライドにより斜め穴の上端に錠ボルトの係合部が達すると、突出した錠ボルトの後退が垂直穴に当たる係合部にて阻止される。簡素な構造で錠ボルトを高強度に後退規制できる。
【００３０】
請求項８記載のプッシュプル錠によれば、錠ボルトの突出動作に負荷を付与して突出速度を減速させるダンパ機構を装備したので、錠ボルト突出時、すなわち、施錠時の施錠音を静粛にできる。
【発明を実施するための最良の形態】
【００３１】
以下、本発明に係るプッシュプル錠の好適な実施の形態を図面を参照して詳細に説明する。
図１は本発明に係るプッシュプル錠を備えたガラス扉の斜視図である。
プッシュプル錠１００の設けられる扉１１は、矢印ａ方向へ開扉可能に不図示のヒンジにて支持される。本実施の形態の扉１１は、ガラス１３の外周に枠体１５を付設したガラス扉として構成される。プッシュプル錠１００は、枠体１５の開閉端側の縦枠１７に取り付けられる。
【００３２】
一方の扉面１１ａ側に開扉される扉１１の厚み方向中央部には錠ケース１９が内設される。表面１１ａには、この表面１１ａに垂直な離反方向Ｌに移動操作される第１の操作バー（屋外操作バー）２１が設けられる。また、他方の扉面（裏面１１ｂ）には、この裏面１１ｂに垂直な接近方向Ｎに移動操作される第２の操作バー（室内操作バー）２３が設けられる。プッシュプル錠１００は、開扉方向ａと同方向に操作される屋外操作バー２１、室内操作バー２３の操作力を、錠ボルト２５を後退作動させる回転駆動力に変換して錠ケース１９に入力する。
【００３３】
ガラス扉に設けられるプッシュプル錠１００は、衝接時の反力を発生させないため、衝接傾斜面を有しないラッチボルト機構であることが望ましい。本実施の形態によるプッシュプル錠１００は、錠ボルト２５が、相手部材との衝接による反力を利用しない。つまり、錠ボルト２５は、閉扉状態でのみ突出し、開扉状態では一般的なラッチボルトと異なり後退保持（収納）されるようになっている。これにより、プッシュプル錠１００は、掛け金としてのラッチボルトと、施錠用のデッドボルトを単一の錠ボルト２５のみにて機能させている。
【００３４】
また、ガラス扉の意匠性を低下させないためには、プッシュプル錠１００の設けられる縦枠１７はできるだけ幅Ｗの狭いスリムなものとすることが望ましい。すなわち、プッシュプル錠１００は、錠ボルト２５の進退方向の奥行き長を最小にできる機構であることが望ましい。これら要請を実現すべく本実施の形態によるプッシュプル錠１００は以下の構成を備える。
【００３５】
図２は図１に示したプッシュプル錠の錠ケース内の側面図である。
図中、３１は操作軸、３３（図１参照）は変換機構、３５はロック爪、３７は解錠軸、３９はリンク機構、４１は斜め穴、４３はスライドカム板、４５は第１付勢手段、４７（図３参照）はラチェット爪、４９はリリーサ、５１は保持プレート、５３（図８参照）は第２付勢手段、５５（図６参照）はスリット、５７は樹脂製スペーサ部材、５９（図４参照）は垂直穴、６１はダンパ機構を示す。
【００３６】
また、６３はニードルベアリング、６５はラチェット歯、６７はラチェット駆動レバー、６９は解錠アーム、７１はダルマ穴、７３はダルマピニオン、７５はダルマラック、７７はラック付勢バネ、７９はスライドプッシャー、８１は解錠プレート、８３はダルマ受け、８５は駆動カム、８７は解錠爪、８９は固定板、９１は裏板、９３はフロント板を示す。
【００３７】
プッシュプル錠１００は、扉１１の縦枠１７に設けられ、扉１１が閉められた（閉扉）状態で縦枠１７から横方向に錠ボルト２５を突出するとともに、扉１１が開かれた（開扉）状態で錠ボルト２５を後退させて収納保持する。突出した錠ボルト２５を後退させるには、先ず、解錠軸３７のダルマ穴７１に連結されるシリンダ錠１０１（図１参照）、或いは不図示のサムターンを操作して、操作軸３１の操作を可能な状態とする。回転操作可能となった操作軸３１は、屋外操作バー２１或いは室内操作バー２３が操作されることで回転される。操作軸３１が回転されれば、後述する作用により、錠ボルト２５が後退することとなる。
【００３８】
ここで、屋外操作バー２１、室内操作バー２３による開扉方向ａと同方向の押し引き操作力は、変換機構３３にて扉面に垂直な軸回りの回転操作力として操作軸３１に入力される。変換機構３３は、屋外操作バー２１用と、室内操作バー２３用のそれぞれが設けられる。屋外操作バー２１用の変換機構３３は離反方向Ｌの操作力を回転に変換する。室内操作バー２３用の変換機構３３は接近方向Ｎの操作力を回転に変換する。本明細書では変換機構３３の詳細な構成説明は省略する。
【００３９】
操作軸３１は、錠ボルト２５の突出状態で、ロック爪３５によって回転規制される。このロック爪３５は、シリンダ錠１０１等により解錠軸３７が解錠回転されることで、従動するリンク機構３９にて回転規制が解除される。操作軸３１の回転規制が解除されれば、例えば室内操作バー２３を離反方向Ｌに操作して、錠ボルト２５が後退可能となっている。
【００４０】
図３は錠ボルトとラチェット爪の動作状態を（ａ）〜（ｄ）で表した作用説明図、図４は施錠状態を（ａ）、開扉状態を（ｂ）で表した錠ボルト、スライドカム板の作用説明図、図５はスライドカム板、操作軸、ロック爪及びリンク機構部品の一部を表した分解斜視図、図６は錠ボルト、スライドカム板周辺部品の分解斜視図である。
図３に示すように、錠ボルト２５は、錠ケース１９に、進退自在に設けられている。図６に示すように、錠ボルト２５は、スリット５５を挟んで扉１１の厚み方向に分割され、このスリット５５にスライドカム板４３が縦枠１７の長手方向（図６の上下方向）にスライド自在に配置される。錠ボルト２５には厚み方向に係合ピン１０３が貫通し、係合ピン１０３はスライドカム板４３の斜め穴４１を貫通する。錠ボルト２５は、両側面が、錠ケース１９の側板との間に設けられたニードルベアリング６３を介して低摩擦で支持される。このように錠ボルト２５とスライドカム板４３が重ねて配置され、従来、錠ボルトの後方に必要であった錠ボルト駆動部品群の配置スペースが不要となる。これにより、小幅スペースでの錠機構の収容を可能にしている。
【００４１】
スライドカム板４３は、操作軸３１の回転で縦枠１７の長手方向にスライドされる。操作軸３１は、駆動カム８５を回転させ、スライドプッシャー７９を介して、スライドカム板４３の下端を上方へ押し上げる。図４に示すように、スライドカム板４３が押し上げられれば、係合ピン１０３を介して斜め穴４１に係合する錠ボルト２５は、図４（ｂ）に示すように後退される。
【００４２】
スライドカム板４３の上部にはスプリングガイド棒１０５が立設され、スプリングガイド棒１０５には第１付勢手段４５が外挿される。第１付勢手段４５は、錠ボルト２５が突出する方向（すなわち、スライドカム板４３を押し下げる方向）にスライドカム板４３を付勢する。図４中、１０７は第１付勢手段４５のバネ座となるとともに、スプリングガイド棒１０５を挿通する支持プレートを示す。
【００４３】
錠ボルト２５の上面にはラチェット歯６５が付設され、ラチェット歯６５はラチェット爪４７に噛合する。ラチェット爪４７に噛合した錠ボルト２５は、突出方向の移動が規制される。すなわち、図３（ａ）〜（ｃ）に示すように、後退した位置に保持される。そして、図３（ｄ）に示すように、錠ボルト２５は、ラチェット爪４７による噛合が解除されると、第１付勢手段４５の付勢力により再び突出される。
【００４４】
ラチェット爪４７の噛合解除は、リリーサ４９にて行われる。ラチェット爪４７は、図３の上下方向に移動自在に支持される。リリーサ４９とラチェット爪４７の間には支持軸１０９を中心に揺動するラチェット駆動レバー６７が設けられ、ラチェット駆動レバー６７は連結片１１１を介してラチェット爪４７に連結される。リリーサ４９は、閉扉にて被施錠体（不図示）から磁気反発力を受けて作動し、図３（ｄ）に示すように、ラチェット駆動レバー６７の上部を図３の時計回りに回転させる。ラチェット駆動レバー６７が回転されると、連結片１１１を介してラチェット爪４７を引き上げる。これにより、錠ボルト２５の保持が解除される。
【００４５】
なお、リリーサ４９に磁気反発力を作用させる手段としては、被施錠体側に設けられた電磁石が挙げられる。電磁石とすることで、錠ボルト２５の自動突出の有無を電気制御することができる。すなわち、自動施錠とするときに、電磁石に電圧を印加して、磁気反発力を発生させるようにすればよい。
【００４６】
スライドカム板４３の斜め穴４１の上端には垂直穴５９が延設され、垂直穴５９は錠ボルト２５の後退を阻止する。すなわち、錠ボルト２５の突出動作に伴い、スライドカム板４３のスライドにより斜め穴４１の上端に錠ボルト２５の係合ピン１０３が達すると、図４（ａ）に示すように、突出した錠ボルト２５の後退が垂直穴５９に当たる係合ピン１０３にて阻止される。これにより、簡素な構造で錠ボルト２５を高強度に後退規制できるようになっている。
【００４７】
錠ボルト２５の下面にはダンパ噛合ラック１１３が付設され、ダンパ噛合ラック１１３はダンパ機構６１の減速歯車１１５に噛合する。ダンパ機構６１は、錠ボルト２５の突出動作に負荷を付与して突出速度を減速させる。錠ボルト２５の突出時（すなわち、施錠時）、ダンパ機構６１により突出動作に負荷が付与されて、錠ボルト２５がゆっくり突出される。これにより、錠ボルト突出時（すなわち、施錠時）の施錠音を静粛にできる。
【００４８】
なお、図５、図６中、１１７、１１９はスライドカム板４３のガイド穴、１２１はガイドブロック、１２３は駆動カム８５の復帰バネ１２５（図２参照）を掛けるフックを示す。
【００４９】
図７は施錠状態における解錠軸近傍機構の拡大側面図、図８は保持プレート周辺部品の分解斜視図である。
解錠アーム６９は、支持軸１２７に回動自在に支持される。支持軸１２７の端部には錠ケース１９を外側から貫通する支持ネジ１２９が螺合される。解錠軸３７が解錠方向（図７の反時計回り）に回転されると、解錠アーム６９の揺動先端６９ａは、解錠軸３７の外周に突出する突起１３１にて、図７の時計回りに揺動される。
【００５０】
錠ケース１９内には上下方向に延在する解錠プレート８１が、上下方向に移動自在に設けられている。解錠プレート８１の上端８１ａは、解錠アーム６９の揺動他端６９ｂと係合し、解錠アーム６９が図７の時計回りに揺動されることで、コイルバネ１３３を圧縮しながら引き上げられるように作動する。解錠プレート８１が引き上げられると、解錠プレート８１の下端に設けられた解錠爪８７（図２参照）が、ロック爪３５の揺動基端に設けられたピン３５ａを引き上げ、ロック爪３５を図２の時計回りに回転させる。ロック爪３５の駆動カム８５に対するロックを解除する。つまり、ロック爪３５が規制解除位置となる。これにより、操作軸３１、すなわち、屋外操作バー２１が操作可能となる。
【００５１】
解錠アーム６９、解錠プレート８１、解錠爪８７は、リンク機構３９を構成する。プッシュプル錠１００では、ロック爪３５が規制解除位置となるようリンク機構３９の作動を保持する保持プレート５１を具備している。この保持プレート５１は、操作軸３１の回転にてスライドされるスライドカム板４３によりリンク機構３９の保持を解除する。すなわち、図８に示すように、保持プレート５１は、解錠アーム６９の下方で、樹脂製スペーサ部材５７の支持片１３５に、ピン１３７にて基端が揺動自在に支持される。保持プレート５１の先端は、樹脂製スペーサ部材５７の凹部１３９の間に配設されたスプリング１４１にて凹部１３９より突出する方向に付勢されている。
【００５２】
図９は保持プレートの動作状態を（ａ）〜（ｃ）で表した作用説明図である。
開扉時、錠ケース１９は後退保持され、解錠アーム６９は反時計回りに揺動されている（解錠アーム６９の位置のみ図２参照）。このとき、保持プレート５１は、図９（ａ）に示すように、解錠アーム６９の揺動他端６９ｂにて凹部１３９に押し込まれている。
【００５３】
閉扉され、リリーサ４９にてラチェット爪４７が外れ、錠ボルト２５が突出されると、図２の状態となり、依然、保持プレート５１は解錠アーム６９の揺動他端６９ｂに押し込まれている。錠ボルト２５が突出した施錠状態から、シリンダ錠１０１等により解錠軸３７が図２の反時計回りに回転されると、突起１３１が揺動先端６９ａを押し、解錠アーム６９を図２の時計回りに回転する。
【００５４】
解錠アーム６９が時計回りに回転されると、揺動他端６９ｂが保持プレート５１の先端部５１ａから外れ、図９（ｂ）に示すように、解錠アーム６９の揺動他端６９ｂを下方から担持する。つまり、解錠アーム６９は、第１付勢手段４５の付勢力に抗して先端部５１ａにより復帰回転が阻止される。これにより、リンク機構３９は、ロック爪３５が駆動カム８５からロック解除された位置に保持される。
【００５５】
一方、ロック解除された操作軸３１が回転され、スライドカム板４３が上昇すると、図９（ｃ）に示すように、保持プレート５１が凹部１３９に押し込められ、復帰回転の阻止されていた解錠アーム６９が図２の状態となり、揺動他端６９ｂで先端部５１ａを再び押さえ込むこととなる。
【００５６】
このように、プッシュプル錠１００では、施錠時、解錠アーム６９が一旦操作されれば、ロック爪３５が規制解除位置となるようリンク機構３９が保持プレート５１にて保持され、操作軸３１が操作可能状態に保持される。また、操作軸３１が操作されることでスライドカム板４３がスライドされれば、すなわち、開扉されれば、保持プレート５１の保持が解除され、操作軸３１が再びロック爪３５に規制されて回転規制される（すなわち、開扉時には錠ボルト２５が突出規制される）。これにより、開扉時、突出した錠ボルト２５による衝突が防止できるようになっている。
【００５７】
また、プッシュプル錠１００は、錠ボルト２５を後退操作した操作軸３１が、ロック爪３５にて回転規制されるよう、リンク機構３９を付勢する第２付勢手段５３を備える。錠ボルト２５を後退操作した後（すなわち、開扉した後）、第２付勢手段５３にてリンク機構３９を作動させ、ロック爪３５を操作軸３１に即座に係止できるようにしている。これにより、開扉時における操作軸３１の回転操作（すなわち、錠ボルト２５の突出操作）を無効にしている。
【００５８】
プッシュプル錠１００は、少なくとも錠ボルト２５、リンク機構３９及びスライドカム板４３などの摺動部品と、少なくともロック爪３５及びラチェット爪４７などの揺動部品が、錠ケース１９との隙間に配設される樹脂製スペーサ部材５７に摺接して位置保持及び動作案内される。このように、摺動部品、揺動部品が、樹脂製スペーサ部材５７に摺接して位置保持及び動作案内されるので、摺動部品や揺動部品の摺動音、衝撃音を吸収して静粛性を高めることができる。また、金属同士の摩耗を低減させて耐久性を向上させることができる。
【００５９】
プッシュプル錠１００は、スライドカム板４３を挟み、操作軸３１、ロック爪３５及びリンク機構３９が一対配設され、これら部品が扉１１の表裏側でそれぞれに作動する。すなわち、扉表裏側で操作軸３１（すなわち、操作バー）が独立操作可能となる。また、一方の操作軸３１の回転が他方の操作軸３１に伝わらなくなっている。これにより、扉表裏側で操作軸３１を独立操作して、スライドカム板４３等の兼用部品を作動させることができる。また、一方の操作軸３１の回転が他方の操作軸３１に伝わらず、非操作側操作バーの不要な動きを防止している。
【００６０】
なお、プッシュプル錠１００は、ロック爪３５の下方に、図２に示すソレノイド１４３を備えても良い。ソレノイド１４３を設けることで、外部からの信号にて、ロック爪３５の施解錠を可能とすることができる。
【００６１】
次に、上記構成を有するプッシュプル錠１００の作用を説明する。
図１０は閉扉解錠途中の作用説明図、図１１は閉扉解錠操作後の作用説明図、図１２は開扉操作途中の作用説明図である。
プッシュプル錠１００は、開扉時、錠ボルト２５が後退保持される。
扉１１が閉められると、リリーサ４９の揺動によって、図３（ｄ）に示すように、ラチェット爪４７が外れ、第１付勢手段４５の付勢力にて錠ボルト２５が突出（図４参照）し、図２に示す状態、すなわち、施錠状態となる。この状態では、ロック爪３５が駆動カム８５に係止することで、操作軸３１の操作は不能となっている。つまり、扉１１を開くことができない。
【００６２】
解錠するには、図１０に示すように、解錠軸３７を反時計回りに回転し、解錠アーム６９を右方へ倒す。すると、リンク機構３９の解錠プレート８１が上昇し、解錠爪８７にてロック爪３５のロックを解除する。このロック解除状態は、図９（ｂ）に示す突出した保持プレート５１にて保持される。つまり、一旦解錠軸３７にて解錠操作すれば、何時でも操作軸３１にて開扉できるようになる。
【００６３】
また、解錠軸３７は、ラック付勢バネ７７の付勢力により図１１に示す回転前の位置に復帰回転される。
【００６４】
操作軸３１が回転され、スライドカム板４３が押し上げられる（図１２参照）と、錠ボルト２５が後退する。後退した錠ボルト２５は、ラチェット爪４７により後退保持される（図３（ｃ）参照）。第１付勢手段４５に抗して上昇したスライドカム板４３は、ラチェット爪４７にて保持されている錠ボルト２５を介し、下降が阻止される。つまり、次に、リリーサ４９が作動するまで、錠ボルト２５は突出しない。
【００６５】
開扉操作した操作軸３１、駆動カム８５は、復帰バネ１２５にて再び元の位置（図２の位置）に戻る。同時に、図９（ｃ）に示す状態にて保持プレート５１による保持が解除された解錠アーム６９は第２付勢手段５３にて図２の反時計回りに回転する。これにより、リンク機構３９の解錠プレート８１が下降し、解錠爪８７にてロック爪３５が再び駆動カム８５をロックした状態となる。つまり、開扉状態では操作軸３１の操作が不能となる。
【００６６】
したがって、上記プッシュプル錠１００によれば、縦枠１７から横方向に突出する錠ボルト２５を、縦枠１７の長手方向にスライドするスライドカム板４３にて作動させ、閉扉で被施錠体から磁気反発力を受けるリリーサ４９にてラチェット爪４７による錠ボルト２５の後退保持を解除するので、扉１１の縦枠１７など狭い幅のスペースに取り付けることができるとともに、閉扉時と同時に錠ボルト２５を突出させる自動施錠を実現できる。
【図面の簡単な説明】
【００６７】
【図１】本発明に係るプッシュプル錠を備えたガラス扉の斜視図である。
【図２】図１に示したプッシュプル錠の錠ケース内の側面図である。
【図３】錠ボルトとラチェット爪の動作状態を（ａ）〜（ｄ）で表した作用説明図である。
【図４】施錠状態を（ａ）、開扉状態を（ｂ）で表した錠ボルト、スライドカム板の作用説明図である。
【図５】スライドカム板、操作軸、ロック爪及びリンク機構部品の一部を表した分解斜視図である。
【図６】錠ボルト、スライドカム板周辺部品の分解斜視図である。
【図７】施錠状態における解錠軸近傍機構の拡大側面図である。
【図８】保持プレート周辺部品の分解斜視図である。
【図９】保持プレートの動作状態を（ａ）〜（ｃ）で表した作用説明図である。
【図１０】閉扉解錠途中の作用説明図である。
【図１１】閉扉解錠操作後の作用説明図である。
【図１２】開扉操作途中の作用説明図である。
【符号の説明】
【００６８】
１１…扉
１１ａ…表面（扉面）
１７…縦枠
１９…錠ケース
２５…錠ボルト
３１…操作軸
３３…変換機構
３５…ロック爪
３７…解錠軸
３９…リンク機構
４１…斜め穴
４３…スライドカム板
４５…第１付勢手段
４７…ラチェット爪
４９…リリーサ
５１…保持プレート
５３…第２付勢手段
５５…スリット
５７…樹脂製スペーサ部材
５９…垂直穴
６１…ダンパ機構
１００…プッシュプル錠
【図１】
0005058867.tif 000002
【図２】
0005058867.tif 000003
【図３】
0005058867.tif 000004
【図４】
0005058867.tif 000005
【図５】
0005058867.tif 000006
【図６】
0005058867.tif 000007
【図７】
0005058867.tif 000008
【図８】
0005058867.tif 000009
【図９】
0005058867.tif 000010
【図１０】
0005058867.tif 000011
【図１１】
0005058867.tif 000012
【図１２】
0005058867.tif 000013